(57)【要約】【課題】建物内に設置されたエレベータを日常的に使用する利用者を対象にして、その利用者が必要とするエレベータの情報を簡単かつ確実に通知する。【解決手段】建物内に利用者の携帯端末１１にて読み取り可能なコード情報を設けておく。利用者がこのコード情報を携帯端末１１にて読み取ると、登録用の電子メールがメールサーバ１４を介してメインサーバ１２に送られる。メインサーバ１２は、携帯端末１１から受信した電子メールに基づいて、利用者が使うエレベータの号機を特定すると共に携帯端末１１の電子メールアドレスを取得してデータベースに登録する。そして、このデータベースに登録された電子メールアドレスに基づいて、利用者が使うエレベータに関する情報を電子メールにて携帯端末１１に通知する。【選択図】      図１
2010095357.tif 000002
【特許請求の範囲】
【請求項１】
建物内の任意の場所に利用者の携帯端末にて読み取り可能なコード情報が設けられたエレベータの情報通知システムであって、
上記携帯端末から上記コード情報を読み取ったときに送信される電子メールを受信するメール受信手段と、
このメール受信手段によって受信された電子メールに基づいて、利用者が使用するエレベータの号機を特定すると共に上記携帯端末の電子メールアドレスを取得してデータベースに登録する登録手段と、
この登録手段によって登録された利用者を対象にして、上記データベースに登録された電子メールアドレスに基づいて、その利用者が使用するエレベータに関する情報を電子メールにて上記携帯端末に通知する情報通知手段と
を具備したことを特徴とするエレベータの情報通知システム。
【請求項２】
上記コード情報には、少なくともサービス登録先を示す電子メールアドレスとエレベータの号機を識別するための情報が記録されており、
上記携帯端末で上記コード情報を読み取ったときに、宛先に上記サービス登録先の電子メールアドレス、タイトルに上記号機の識別情報が設定された電子メールが作成されることを特徴とする請求項１記載のエレベータの情報通知システム。
【請求項３】
上記コード情報は、上記建物内に設置されたエレベータの乗りかご内またはエレベータの乗場近傍、あるいは、その両方に設けられていることを特徴とする請求項１記載のエレベータの情報通知システム。
【請求項４】
上記コード情報は、二次元のコード情報からなり、シールの形態で上記建物内に設置されたエレベータの乗りかご内またはエレベータの乗場近傍、あるいは、その両方に設けられていることを特徴とする請求項１記載のエレベータの情報通知システム。
【請求項５】
上記携帯端末を通じて電子メールの配信時間帯を指定する配信時間帯指定手段を備え、
上記登録手段は、上記配信時間帯指定手段によって指定された配信時間帯を上記データベースに当該利用者に対応付けて記憶し、
上記情報通知手段は、上記データベースに登録された配信時間帯に情報通知用の電子メールを送信することを特徴とする請求項１記載のエレベータの情報通知システム。
【請求項６】
上記登録手段は、上記情報通知手段によって送信された電子メールの不達回数が所定回に達した場合に、該当する利用者の登録情報を上記データベースから解除することを特徴とする請求項１記載のエレベータの情報通知システム。
【請求項７】
上記登録手段から上記携帯端末に送られる登録完了通知画面には、サービス解除用の連絡先が記述されていることを特徴とする請求項１記載のエレベータの情報通知システム。
【請求項８】
上記情報通知手段から上記携帯端末に送られる電子メールには、サービス解除用の連絡先が記述されていることを特徴とする請求項１記載のエレベータの情報通知システム。
【発明の詳細な説明】
【技術分野】
【０００１】
本発明は、例えばマンションビルやオフィスビル等の建物において、その建物に設置されたエレベータの情報を利用者に通知するためのエレベータの情報通知システムに関する。
【背景技術】
【０００２】
従来、例えばマンションやオフィス等の建物において、エレベータの利用者に対する情報の通知方法として、定期的に客先を巡回している保守員にて、口頭あるいは紙ベースにより行われている。しかし、これでは、必要な情報を必要な人に確実に伝達することは難しい。
【０００３】
また、建物の管理人がエレベータ会社からの情報提供を受けて、建物内の所定の掲示板やエレベータの乗りかご内に紙媒体を掲示して、その紙媒体にて情報提供する方法がある。さらに、近年、集合住宅の共有箇所に設置された液晶ディスプレイなどの電子表示媒体に各種情報を掲示するシステムが普及している。しかし、これらの方法では、実際にその場所に出向かなければ、内容を確認することができないといった不便さがある。
【０００４】
ここで、例えば特許文献１では、異常が発生した際に、乗りかご内の表示器に監視センタのＷｅｂサイトのアドレスを表示し、利用者の携帯端末からそのアドレスにアクセスすることで、監視センタと連絡を取るようにしたシステムについて開示されている。
【特許文献１】特開２００２−６８６２２号公報
【発明の開示】
【発明が解決しようとする課題】
【０００５】
しかしながら、上記特許文献１のシステムは、乗りかご内で異常が発生したときに、その乗りかご内にいる利用者が監視センタと連絡を取るときだけに用いられるものであって、そのエレベータを日常的に使用する利用者だけが必要な情報を得ることはできない。
【０００６】
本発明は上記のような点に鑑みなされたもので、建物内に設置されたエレベータを日常的に使用する利用者を対象にして、その利用者が必要とするエレベータの情報を簡単かつ確実に通知することのできるエレベータの情報通知システムを提供することを目的とする。
【課題を解決するための手段】
【０００７】
本発明に係るエレベータの情報通知システムは、建物内の任意の場所に利用者の携帯端末にて読み取り可能なコード情報が設けられたエレベータの情報通知システムであって、上記携帯端末から上記コード情報を読み取ったときに送信される電子メールを受信するメール受信手段と、このメール受信手段によって受信された電子メールに基づいて、利用者が使用するエレベータの号機を特定すると共に上記携帯端末の電子メールアドレスを取得してデータベースに登録する登録手段と、この登録手段によって登録された利用者を対象にして、上記データベースに登録された電子メールアドレスに基づいて、その利用者が使用するエレベータに関する情報を電子メールにて上記携帯端末に通知する情報通知手段とを具備したことを特徴とする。
【発明の効果】
【０００８】
本発明によれば、建物内に携帯端末にて読み取り可能なコード情報を設けておくことで、その建物内に設置されたエレベータを日常的に使用する利用者を対象にして簡単にサービス登録を行って、その利用者に必要な情報を電子メールにて確実に通知することができる。
【発明を実施するための最良の形態】
【０００９】
以下、図面を参照して本発明の実施形態を説明する。
【００１０】
図１は本発明の一実施形態に係るエレベータの情報通知システムの構成を示す図である。本実施形態におけるエレベータの情報通知システムは、携帯端末１１と、メインサーバ１２と、Ｗｅｂサーバ１３と、メールサーバ１４とで構成される。
【００１１】
携帯端末１１は、エレベータの利用者が持つ一般的な携帯電話である。この携帯端末１１には、通常の通話機能の他に、電子メールを送受信するための機能、インターネット上の情報を閲覧するための機能、デジタルカメラの機能などが搭載されている。
【００１２】
なお、「電子メール」とは、コンピュータネットワークを経由して端末間でやり取りされるメッセージデータのことであり、単に「メール」と呼ぶこともある。また、「電子メールアドレス」とは、ネットワーク上で交換される電子メールにおいて利用される送信元や送信先などを表す番地であり、単に「メールアドレス」あるいは「アドレス」と呼ばれることもある。
【００１３】
メインサーバ１２、Ｗｅｂサーバ１３、メールサーバ１４は、それぞれに監視センタ１５内に設置されている。監視センタ１５は、各地に設置されたエレベータの動作状態をネットワーク１７を介して遠隔監視しており、何らかの異常が発生した場合に保守員を現場に派遣するなどの対応を行う。
【００１４】
この監視センタ１５において、メインサーバ１２は、各種業務を統括管理するための基幹システムとして設けられている。また、Ｗｅｂサーバ１３は、利用者の携帯端末１１からインターネット１６を介して接続されるポータルサイトである。メールサーバ１４は、利用者の携帯端末１１との間でインターネット１６を介してメールをやり取りする場合に用いられる。
【００１５】
インターネット１６は、携帯端末１１とＷｅｂサーバ１３、メールサーバ１４とを接続するための通信ネットワークである。これに対し、ネットワーク１７は、監視センタ１５内のメインサーバ１２、Ｗｅｂサーバ１３、メールサーバ１４を互いに接続すると共に、図示せぬ保守員の携帯端末や業務用ＰＣ（Personal Computer）とメインサーバ１２とを接続するための通信ネットワークである。このネットワーク１７は、セキュリティ保護の観点からインターネット１６とは一般的には分離されている。
【００１６】
なお、ネットワーク１７を用いずに、各サーバ１２，１３，１４のすべてをインターネット１６に接続しても、本システムを実現することが可能である。つまり、情報漏洩などに対するセキュリティを考慮しなげれば、同一のネットワークで本システムを構築しても問題ない。
【００１７】
また、図１の例では、監視センタ１５内にメインサーバ１２、Ｗｅｂサーバ１３、メールサーバ１４の３つのコンピュータを設けて本システムを構成しているが、これらの機能を備えた１つのコンピュータで本システムを構成することも可能である。
【００１８】
図２はエレベータの乗りかごの内部構成を示す図である。
【００１９】
乗りかご２１には、各階で停止したときに開閉動作するかごドア２２が設けられている。このかごドア２２の隣に各階の呼び釦や戸開釦、戸閉釦等の複数の操作釦を含む操作盤２３が配設され、その操作盤２３の下側にコードシール２４が設けられている。
【００２０】
このコードシール２４の表面には、少なくとも本システムのサービス登録先のメールアドレスと各エレベータ毎に固有の号機ＩＤが二次元コードで記録されている二次元コードとは、一方向にしか情報を持たない一次元コードに対し、水平方向と垂直方向に情報を持つ表示方式のコードであり、例えばＱＲコード（登録商標）などが一般的である。利用者が持つ携帯端末１１には、この二次元コードの読み取り機能が備えられている。
【００２１】
ここで、利用者が持つ携帯端末１１の構成について、図３および図４を用いて説明する。
【００２２】
図３は携帯端末１１の外観構成の一例を示す図である。
【００２３】
携帯端末１１は、持ち運びが容易な小型軽量の筐体３０を有し、その筐体３０に表示部３１、入力部３２、撮像部３３が設けられている。
【００２４】
表示部３１は、例えば液晶ディスプレイ装置からなり、画面上に各種データの表示を行う。入力部３２は、複数の操作ボタンからなり、例えば電話電号、メールアドレスなどの入力操作の他、二次元コードの読込み指示などを行うためのユーザインタフェースとして用いられる。撮像部３３は、静止画／動画の撮影が可能なデジタルカメラからなり、カメラ機能として一般的に使用される他に、ここでは、二次元コードの読取り手段として利用される。
【００２５】
図４は携帯端末１１の機能構成を示すブロック図である。
【００２６】
携帯端末１１は、上述した表示部３１、入力部３２、撮像部３３の他に、制御部４１、記憶部４２、通信部４３を備える。
【００２７】
制御部４１は、携帯端末１１の全体の制御を行うＣＰＵからなる。この制御部４１は、記憶部４２に記憶されたプログラムを読み込むことで、そのプログラムに記述された手順に従って各種処理を実行する。また、この制御部４１は、撮像部３３を通じて読み取られた二次元コードを復号化するための機能を備えている。
【００２８】
記憶部４２は、例えばＲＯＭ、ＲＡＭなどからなり、プログラムを含む各種データが記憶される。この記憶部４２には、自身のメールアドレスを含む各種メールアドレスを管理するためのアドレステーブル４２ａが設けられている。また、通信部４３は、所定の通信プロトコルに従って他の端末装置との間の通信処理を行う。
【００２９】
次に、監視センタ１５側の構成について説明する。
【００３０】
上述したように、監視センタ１５内には、本システムを構成するメインサーバ１２、Ｗｅｂサーバ１３、メールサーバ１４が設けられている。これらは、ＣＰＵ、ＲＯＭ、ＲＡＭなどを備えたコンピュータによって構成される。図５にメインサーバ１２を代表として、その機能構成を示す。
【００３１】
図５はメインサーバ１２の機能構成を示すブロック図である。
【００３２】
メインサーバ１２は、制御部５１、記憶部５２、通信部５３、入力部５４、表示部５５などを備える。
【００３３】
制御部５１は、メインサーバ１２の全体の制御を行うＣＰＵからなる。この制御部５１は、記憶部５２に記憶されたプログラムを読み込むことで、そのプログラムに記述された手順に従って各種処理を実行する。記憶部５２は、例えばＲＯＭ、ＲＡＭなどからなり、プログラムを含む各種データが記憶される。この記憶部５２には、各利用者の登録情報を管理するためのデータベース５６が設けられている。
【００３４】
また、通信部５３は、所定の通信プロトコルに従って他の端末装置との間の通信処理を行う。入力部５４は各種データの入力を行う場合に用いられ、表示部５５は各種データの表示を行う場合に用いられる。
【００３５】
図６はメインサーバ１２に設けられたデータベース５６の構成を示す図である。
【００３６】
データベース５６には、利用者毎に固有のユーザＩＤに関連付けて、利用者が使うエレベータの号機情報、利用者が持つ携帯端末１１のメールアドレス、さらに、その利用者が希望するメールの配信時間、属性情報として当該エレベータの関係（住民／オーナ）などの情報が記憶されている。
【００３７】
また、メールサーバ１４には、図７に示すようなログテーブル５７が設けられている。このログテーブル５７には、利用者毎にメールを送受信した日時が記録されると共に、送信ステータス情報として送信メールが不達であったときの回数が記録される。後述するように、この不達回数が所定回数に達すると、その利用者のサービス登録が自動解除されることになる。
【００３８】
次に、本システムの動作について詳しく説明する。
【００３９】
（ａ）サービス登録処理
まず、本システムのサービス登録に関する処理について説明する。  
「サービス登録」とは、具体的には利用者が本システムの情報通知サービスを受けるために必要な情報をメインサーバ１２に設けられたデータベース５６に登録することである。このサービス登録を利用者が携帯端末１１を通じて二次元コードを読み取るだけで簡単に行えるのが本システムの特徴の１つである。
【００４０】
図８は本システムのサービス登録処理を説明するためのシーケンス図であり、左からメインサーバ１２、Ｗｅｂサーバ１３、メールサーバ１４、携帯端末１１の処理が示されている。なお、ここでは各サーバ１２，１３，１４の処理に分けて説明するが、これらのサーバ１２，１３，１４の処理を１つのコンピュータで実行することも可能である。
【００４１】
本システムが適用されるエレベータの乗りかご２１内には、予め本システムのサービス登録用の情報が二次元コードで記録されたコードシール２４が貼り付けられている。この乗りかご２１内に利用者が乗ったときに、自分の携帯端末１１を用いてコードシール２４に記録された二次元コードを読み取ると（ステップＳ１１）、図９に示すようなメール６１が作成されて監視センタ１５のメールサーバ１４に送信される（ステップＳ１２）。
【００４２】
詳しく説明すると、上記コードシール２４に記録された二次元コードには、予めサービス登録先（ここではメールサーバ１４）のメールアドレスや各エレベータ固有の号機ＩＤが登録されている。この二次元コードを携帯端末１１の撮影機能を用いて読み取ると、「宛先」にサービス登録先のメールアドレス、「タイトル」に当該乗りかご２１に割り当てられた号機ＩＤが設定されたメール６１が自動的に作成され、利用者の送信指示に従って、インターネット１６経由でメールサーバ１４に送られる。このメール６１の本文は空白である。また、このメール６１の差出人情報として、携帯端末１１のメールアドレスが付加されている。
【００４３】
メールサーバ１４は、携帯端末１１から送信されたメール６１を受信すると、ユーザＩＤを発行して、図７に示すログテーブル５７にメール受信日を記録した後（ステップＳ１３）、このメール６１をメインサーバ１２に転送する。
【００４４】
メインサーバ１２では、このメール６１からエレベータの号機情報と携帯端末１１のメールアドレスを取得し、これらの情報を図６に示すデータベース５６に当該ユーザＩＤに対応付けて記憶した後、メールサーバ１４に対してメール送信を指示する（ステップＳ１４）。これにより、メールサーバ１４から利用者の携帯端末１１に対して、図１０に示すような登録用メール６２が送信される（ステップＳ１５）。
【００４５】
この登録用メール６２の本文中には、サービス登録用のＵＲＬ（Uniform Resource Locators）が記述されている。利用者が携帯端末１１の入力部３２を操作して、上記サービス登録用ＵＲＬにアクセスすると、Ｗｅｂサーバ１３に繋がる（ステップＳ１６）。このＷｅｂサーバ１３にて所定の登録手続きを行うと（ステップＳ１７）、本システムのサービス登録が完了し（ステップＳ１８）、Ｗｅｂサーバ１３から登録完了通知画面が利用者の携帯端末１１に送られて（ステップＳ１９）、ここでの一連の登録処理が終了する。
【００４６】
ここで、上記Ｗｅｂサーバ１３にて行われる登録手続きの手順について、図１１乃至図１３を用いて詳しく説明する。
【００４７】
携帯端末１１がインターネット１６を介してＷｅｂサーバ１３に接続された状態で、まず、図１１に示すような第１の登録画面７１が携帯端末１１の表示部３１に表示される。この登録画面７１において、利用者は携帯端末１１の入力部３２を通じてメールアドレスを入力する。
【００４８】
続いて、図１２に示すような第２の登録画面７２が携帯端末１１の表示部３１に表示される。この第２の登録画面７２において、利用者は携帯端末１１の入力部３２を通じて本システムからのメール配信を希望する時間帯を指定すると共に、エレベータとの関係を指定する。
【００４９】
図１２の例では、「８：００〜１２：００」，「１２：００〜１５：００」，「１５：００〜１８：００」，「１８：００〜２１：００」の中から希望する時間帯を任意に指定できる。なお、複数の時間帯を指定することも可能である。また、「エレベータとの関係」として、「住民」または「オーナ」を選択することができる。「住民」を選択した場合には住民宛用の情報通知、「オーナ」を選択した場合にはオーナ宛用の情報通知が行われる。
【００５０】
第２の登録画面７２にて必要な情報を登録すると、図１３に示すような登録完了通知画面７３が携帯端末１１の表示部３１に表示される。利用者は、この登録完了通知画面７３にて本システムのサービス登録が完了したことを把握できる。また、この登録完了通知画面７３には、サービスの設定変更（例えば配信時間帯の変更等）やサービスの解除を行うときの連絡先が記述されている。
【００５１】
上記連絡先とは、具体的には本サービスの更新手続きを行うサイトのＵＲＬである。このＵＲＬにアクセスすることで、Ｗｅｂサーバ１３を経由してサービスの更新・解除が可能な仕組みとなっている。
【００５２】
一方、メインサーバ１２では、Ｗｅｂサーバ１３から上記登録画面７１，７２を通じて登録された利用者の情報を取得することにより、これらの情報を図６に示すデータベース５６に当該利用者のユーザＩＤに対応付けて記憶する。
【００５３】
（ｂ）情報通知処理
次に、本システムのサービスである情報通知に関する処理について説明する。
【００５４】
図１４は本システムの情報通知処理を示すフローチャートである。なお、このフローチャートで示される処理は、監視センタ１５内のメインサーバ１２とメールサーバ１４とで実行される。
【００５５】
今、例えばエレベータが事故で停止している場合など、そのエレベータの運行に関わる何らかのイベントが発生したとする。このようなイベントが発生すると（ステップＳ２１のＹｅｓ）、メインサーバ１２は、図６に示したデータベース５６を参照して（ステップＳ２２）、そのエレベータを使用している利用者を通知対象者として選出する（ステップＳ２３）。
【００５６】
該当する利用者が存在すれば、メインサーバ１２は、その利用者が持つ携帯端末１１のメールアドレスと配信時間帯をデータベース５６から検索し、これをメールサーバ１４に渡してメール送信を指示する（ステップＳ２４）。
【００５７】
これにより、メールサーバ１４では、利用者が指定した配信時間帯で、図１５に示すような情報通知用のメール８１を携帯端末１１に送信する（ステップＳ２５）。この情報通知用のメール８１には、上記ステップＳ２１で発生したイベントに関する具体的な情報と共に、サービスの設定変更（例えば配信時間帯の変更等）やサービスの解除を行うときの連絡先が記述されている。
【００５８】
また、メールサーバ１４は、図７に示したログテーブル５７に送信メールのログを記録する（ステップＳ２６）。ここで、メールサーバ１４から送られた情報通知用のメールが携帯端末１１に届かなかった場合には、メールサーバ１４は、ログテーブル５７の当該利用者のユーザＩＤに対応した不達回数を＋１更新する（ステップＳ２７）。そして、この不達回数が所定回数（例えば、３回）に達した場合に（ステップＳ２９のＹｅｓ）、メールサーバ１４はその旨をメインサーバ１２に知らせる。これにより、メインサーバ１２では、当該利用者の登録情報をデータベース５６から解除して、以後の情報通知サービスを中止する（ステップＳ３０）。
【００５９】
以上のように本システムによれば、乗りかご２１内に携帯端末１１にて読み取り可能な二次元コードを設け、その二次元コードの読み取りによってサービス登録を行う構成とした。これにより、例えば自宅やオフィスのパソコンを通じてＷｅｂサイトにアクセスすることで何らかの情報を得ることができる一般的な情報提供システムとは違って、建物の住民やオーナなど、その建物内のエレベータを日常的に使っている利用者だけを対象にして、その利用者に必要なエレベータの情報を、その利用者の携帯端末にメールにて確実に知らせることができる。
【００６０】
言い換えれば、建物に関係ない人がインターネット等を通じて勝手にサービス登録する行為を極力排除して、その建物に設置されたエレベータに直接的に関わる人たちを対象にした情報通知サービスを実現できる。
【００６１】
また、図１２で説明したように、本システムでは、予めメールの配信時間帯を指定しておけば、その指定した時間帯でのみ情報通知用のメールを受けることができる。
【００６２】
また、図１３で説明したように、サービス登録の完了時に送られる登録完了通知画面にサービスの設定変更やサービスの解除を行うときの連絡先を記述しておくことで、利用者は必要に応じて、その連絡先にアクセスしてサービスの設定変更やサービスの解除を行うことができる。
【００６３】
また、図１５で説明したように、情報通知を行うメールにも、登録完了通知画面と同様にサービスの設定変更やサービスの解除を行うときの連絡先を記述しておくことで、利用者は必要に応じて、その連絡先にアクセスしてサービスの設定変更やサービスの解除を行うことができる。
【００６４】
なお、上記実施形態では、エレベータの乗りかご２１内にサービス登録用の二次元コードを設けたが、図１６に示すように、エレベータの乗場９１の近傍に設けておくことでも良い。図中の９２は乗場ドア、９２は乗場ボタンであり、これらの近くにサービス登録用の二次元コードが記録されたコードシール２４が貼り付けられている。
【００６５】
また、乗りかご２１内と乗場９１の近傍の両方にサービス登録用の二次元コードを設けておくことで良い。要は、建物内に設置されているエレベータを日常的に使っている利用者が、そのエレベータを使うときに目にする場所であれば、建物内のどこに二次元コードが設けられていても良い。
【００６６】
また、二次元コードの形態としては、シールの形態に限らず、携帯端末１１にて読み取り可能であれば、どのような形態であっても良い。
【００６７】
また、二次元コードは、上述したＱＲコード（登録商標）であっても良いし、PDF417，Maxi Code，Data Matrix，Veri Code，Code49，Code1，Aztec Code，RSS(Reads reduced Space Symbology)，Super Code（登録商標を含む）などであっても良い。
【００６８】
さらに、二次元よりもさらに多次元のコードを記録可能な方式があれば、それを使用しても良い。
【００６９】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００７０】
【図１】図１は本発明の一実施形態に係るエレベータの情報通知システムの構成を示す図である。
【図２】図２は同実施形態におけるエレベータの乗りかごの内部構成を示す図である。
【図３】図３は同実施形態における携帯端末の外観構成の一例を示す図である。
【図４】図４は同実施形態における携帯端末の機能構成を示すブロック図である。
【図５】図５は同実施形態におけるメインサーバの機能構成を示すブロック図である。
【図６】図６は同実施形態におけるメインサーバに設けられたデータベースの構成を示す図である。
【図７】図７は同実施形態におけるメールサーバに設けられたに示すようなログテーブルの構成を示す図である。
【図８】図８は同実施形態における情報通知システムのサービス登録処理を説明するためのシーケンス図である。
【図９】図９は同実施形態における情報通知システムのサービス登録時に携帯端末から送信されるメールの一例を示す図である。
【図１０】図１０は同実施形態における情報通知システムのサービス登録時にメールサーバから送信されるメールの一例を示す図である。
【図１１】図１１は同実施形態における情報通知システムの第１の登録画面の一例を示す図である。
【図１２】図１２は同実施形態における情報通知システムの第２の登録画面の一例を示す図である。
【図１３】図１３は同実施形態における情報通知システムの登録完了画面の一例を示す図である。
【図１４】図１４は同実施形態における情報通知システムの情報通知処理を示すフローチャートである。
【図１５】図１５は同実施形態における情報通知システムの情報通知用のメールの一例を示す図である。
【図１６】図１６は同実施形態におけるエレベータの乗場に二次元コードを設けた場合の一例を示す図である。
【符号の説明】
【００７１】
１１…携帯端末、１２…メインサーバ、１３…Ｗｅｂサーバ、１４…メールサーバ、１５…監視センタ、１６…インターネット、１７…ネットワーク、２１…乗りかご、２２…かごドア、２３…操作盤、２４…コードシール、３０…筐体、３１…表示部、３２…入力部、３３…撮像部、４１…制御部、４２…記憶部、４２ａ…アドレステーブル、５１…制御部、５２…記憶部、５３…通信部、５４…入力部、５５…表示部、５６…データベース、５７…ログテーブル、６１…メール、６２…登録用メール、７１…第１の登録画面、７２…第２の登録画面、７３…登録完了通知画面、８１…情報通知用のメール、９１…乗場、９２…乗場ドア、９３…乗場ボタン。
【図１】
2010095357.tif 000003
【図２】
2010095357.tif 000004
【図３】
2010095357.tif 000005
【図４】
2010095357.tif 000006
【図５】
2010095357.tif 000007
【図６】
2010095357.tif 000008
【図７】
2010095357.tif 000009
【図８】
2010095357.tif 000010
【図９】
2010095357.tif 000011
【図１０】
2010095357.tif 000012
【図１１】
2010095357.tif 000013
【図１２】
2010095357.tif 000014
【図１３】
2010095357.tif 000015
【図１４】
2010095357.tif 000016
【図１５】
2010095357.tif 000017
【図１６】
2010095357.tif 000018